(57)【特許請求の範囲】
【請求項１】
バルコニー骨組体と、そのバルコニー骨組体に取付けたデッキ材と手摺を備え、
前記バルコニー骨組体を形成する前桁は、中空形状の上弦材と中空形状の下弦材に複数のラチス材を連結したトラス構造体で、
前記バルコニー骨組体を形成する左右の妻梁は、躯体取付柱と、躯体側の妻梁と、中間の妻梁と、前桁側の妻梁と、２つの柱と、連結柱を備え、
前記躯体側の妻梁、中間の妻梁、前桁側の妻梁は、中空形状の上弦材と中空形状の下弦材に複数のラチス材を連結した前記前桁と同一形状のトラス構造体で、
前記各柱は、その１辺の寸法が前記前桁、妻桁の各上弦材、下弦材の幅方向の寸法よりも大きい矩形中空形状で、各柱の面に弦材ブラケットをそれぞれ取付け、この弦材ブラケットを前記各上弦材、下弦材の中空部に嵌合してそれぞれ連結することで前記躯体取付柱、躯体側の妻梁、第１の柱、中間の妻梁、第２の柱、前桁側の妻梁、連結柱が順次連結された左右の妻梁とすると共に、左右の連結柱間に前桁を連結し、
前記左右の柱間と左右の中間の妻梁間に中間桁がそれぞれ連結され、
その各中間桁は、中空形状の上弦材と中空形状の下弦材に複数のラチス材を連結した前記前桁、妻梁と同一形状のトラス構造体で、かつ各中間桁の上弦材、下弦材は同一長さで、
一方の中間桁は、左右の柱の面に取付けた弦材ブラケットに、上弦材、下弦材の中空部を嵌合して連結され、
他方の中間桁は、左右の妻桁の上弦材、下弦材の内側面にスペーサを介して取付けた弦材ブラケットに、上弦材、下弦材の中空部を嵌合して連結したことを特徴とするバルコニー。
【発明の詳細な説明】
【０００１】
【発明の属する技術分野】
本発明は、建物躯体に窓開口部と連続して取付けられるバルコニーに関する。
【０００２】
【従来の技術】
前桁と左右の妻梁をコ字形状に連結し、その連結部に柱を取付け、前記前桁と左右の妻梁に亘ってデッキ材を取付けた建柱式、屋根置式のバルコニーが知られている。
また、建物躯体に先付ブラケットを取付け、この先付ブラケットに妻梁を連結した持出式のバルコニーが知られている。
【０００３】
【発明が解決しようとする課題】
近年のガーデニング人気に伴ってバルコニーに植物を置き、バルコニーを庭園のように利用することが考えられている。
このように庭園のように利用できるバルコニーとして、奥行と間口が従来のバルコニーよりも長く床面積が広い大きなバルコニーが要求されている。
【０００４】
このように、奥行と間口を長くするには前桁と妻梁を長くする必要があるが、従来のバルコニーの前桁、妻梁は中空形状のアルミ押出形材を用いていると共に、押出設備の関係で大きな断面形状のアルミ押出形材を製造できないので、前桁、妻梁を長くすると強度不足となる恐れがあり、複数の植物などを置き庭園のように利用する大きなバルコニーを実用化する上での障害となっている。
【０００５】
そこで、本発明は前述の課題を解決できるようにしたバルコニーを提供することを目的とする。
【０００６】
【課題を解決するための手段】
本発明は、バルコニー骨組体と、そのバルコニー骨組体に取付けたデッキ材と手摺を備え、
前記バルコニー骨組体を形成する前桁は、中空形状の上弦材と中空形状の下弦材に複数のラチス材を連結したトラス構造体で、
前記バルコニー骨組体を形成する左右の妻梁は、躯体取付柱と、躯体側の妻梁と、中間の妻梁と、前桁側の妻梁と、２つの柱と、連結柱を備え、
前記躯体側の妻梁、中間の妻梁、前桁側の妻梁は、中空形状の上弦材と中空形状の下弦材に複数のラチス材を連結した前記前桁と同一形状のトラス構造体で、
前記各柱は、その１辺の寸法が前記前桁、妻桁の各上弦材、下弦材の幅方向の寸法よりも大きい矩形中空形状で、各柱の面に弦材ブラケットをそれぞれ取付け、この弦材ブラケットを前記各上弦材、下弦材の中空部に嵌合してそれぞれ連結することで前記躯体取付柱、躯体側の妻梁、第１の柱、中間の妻梁、第２の柱、前桁側の妻梁、連結柱が順次連結された左右の妻梁とすると共に、左右の連結柱間に前桁を連結し、
前記左右の柱間と左右の中間の妻梁間に中間桁がそれぞれ連結され、
その各中間桁は、中空形状の上弦材と中空形状の下弦材に複数のラチス材を連結した前記前桁、妻梁と同一形状のトラス構造体で、かつ各中間桁の上弦材、下弦材は同一長さで、
一方の中間桁は、左右の柱の面に取付けた弦材ブラケットに、上弦材、下弦材の中空部を嵌合して連結され、
他方の中間桁は、左右の妻桁の上弦材、下弦材の内側面にスペーサを介して取付けた弦材ブラケットに、上弦材、下弦材の中空部を嵌合して連結したことを特徴とするバルコニーである。
【００１０】
【作用】
本発明によれば、妻梁と前桁が高強度であるから、長尺な妻梁と長尺な前桁を用いて奥行と間口が長い床面積の大きなバルコニーを組立ることが可能である。
また、小さな断面形状の上弦材、下弦材を用いて妻梁、前桁を高強度とすることができ、アルミ押出形材で上弦材、下弦材とすることが可能である。
したがって、アルミ押出形材を用いて庭園のように利用することが可能な大きな床面積のバルコニーを組立できる。
【００１１】
妻梁が高強度であるから、バルコニーの片持ち支持部（持ち出し部）を長くすることが可能で、妻梁を柱で支持するタイプのバルコニーの場合に柱を前桁よりも建物躯体寄りとすることができる。
したがって、バルコニーの下部空間に車を格納する時に柱が邪魔にならずに車の出し入れが容易である。
【００１２】
また、前桁、妻梁は柱に上弦材と下弦材の２点で支持されているので、風や地震などでバルコニーが左右方向に変形することが少なくなる。
したがって、柱を小断面とすることが可能であり、柱が目立たなくなり、家の外観をそこなわない。
【００１３】
また、高強度の中間桁によってバルコニー骨組体がより高強度となるので、より大きな床面積のバルコニーを組立できる。
また、デッキ材に負荷する荷重を中間桁で支持するから、デッキ材に重量物を置くことが可能で、大きな植木鉢などを置くことができる。
【００１４】
また、連結する妻梁の種類と数、柱の数等を任意に選択することで奥行の異なるバルコニーを組立できる。
【００１５】
また、左右の柱の間隔及び左右の中間の妻梁の間隔が中間桁で規制されるので、バルコニーの組立作業が容易である。
【００１６】
【発明の実施の形態】
図１と図２と図３に示すように、左右の妻梁１と前桁２と中間桁３で平面略コ字状のバルコニー骨組体４を形成してある。
前記妻梁１は図１に示すように、第１妻梁（躯体側の妻梁）１−１と第２妻梁（中間の妻梁）１−２と第３妻梁（前桁側の妻梁）１−３を備え、各妻梁は上弦材５と下弦材６に亘って複数のラチス材７を斜めに連結したトラス構造体である。
前記第１妻梁１−１と第３妻梁１−３は同一長さで、第２妻梁１−２は２倍の長さである。
前記第１妻梁１−１の上弦材５、下弦材６が躯体取付柱８で建物躯体９に取付けられる。
前記第１妻梁１−１の上弦材５、下弦材６と第２妻梁１−２の上弦材５、下弦材６が第１柱１０で連結される。
前記第２妻梁１−２の上弦材５、下弦材６と第３妻梁１−３の上弦材５、下弦材６が第２柱１１で連結される。
【００１７】
前記前桁２は図２に示すように、妻梁１と同様に上弦材５と下弦材６に複数のラチス材７を斜めに連結したトラス構造体である。
この前桁２の上弦材５、下弦材６と第３妻梁１−３の上弦材５、下弦材６が連結柱１２で所定角度、例えば９０度に連結される。
【００１８】
前記中間桁３は第１・第２・第３中間桁３−１、３−２、３−３を備え、各中間桁３は前桁２と同様に上弦材５と下弦材６に複数のラチス材７を斜めに連結したトラス構造体である。
第１中間桁３−１の上弦材５、下弦材６が左右の第１柱１０間に連結される。第２中間桁３−２の上弦材５、下弦材６が左右の第２妻梁１−２の上弦材５、下弦材６の長手方向中間部にそれぞれ連結される。
第３中間桁３−３の上弦材５、下弦材６は左右の第２柱１１間に連結される。
【００１９】
前記左右の躯体取付柱８間に亘ってデッキ材受け１３が取付けてある。
【００２０】
次にバルコニー骨組体４を組立る作業手順を説明する。
▲１▼デッキ材受け１３を取付けた左右一対の躯体取付柱８を建物躯体９に取付ける。
▲２▼左右一対の第１妻梁１−１を各躯体取付柱８にそれぞれ連結する。
▲３▼あらかじめ左右の第１柱１０間に第１中間桁３−１を連結し、その左右の第１柱１０を左右の第１妻梁１−１に連結する。
▲４▼あらかじめ左右の第２妻梁１−２間に第２中間桁３−２を連結し、その左右の第２妻梁１−２を左右の第１柱１０に連結する。
▲５▼あらかじめ左右の第２柱１１間に第３中間桁３−３を連結し、その左右の第２柱１１を左右の第２妻梁１−２に連結する。
▲６▼左右の第２柱１１に左右の第３妻梁１−３を連結する。
▲７▼左右の第３妻梁１−３間に前桁２を連結する。
【００２１】
前述のようにしてバルコニー骨組体４を組立るので、その組立順序を変えると共に、組立る妻梁、前桁、柱の種類を変更することで奥行の異なるバルコニー骨組体４を組立できる。
例えば、図４に示すように第２妻梁１−２と第３妻梁１−３を備え奥行が短かいバルコニー骨組体４を組立できる。
【００２２】
また、図５に示すように第２妻梁１−２が２つ連続した奥行の長いバルコニー骨組体４を組立できる。この場合には第２柱１１に前桁２を連結する。
【００２３】
また、図６に示すように第１妻梁１−１を備えた奥行の短かいバルコニー骨組体４を組立できる。この場合には左右の第１柱１０間に前桁２を連結する。
【００２４】
また、図７に示すように第２妻梁１−２を備えた奥行が中間長さのバルコニー骨組体４を組立できる。この場合には左右の第１柱１０間に前桁２を連結する。
【００２５】
前記第１・第２・第３妻梁１−１，１−２，１−３と前桁２は同一形状で、図８に示すように上弦材５、下弦材６は矩形中空形状の本体２０の内側面２０ａに取付片２１を一体的に設けたアルミ押出形材である。
前記ラチス材７は円形中空形状のアルミ押出形材の長手方向両端部を薄板状に押しつぶし加工した形状である。
ラチス材７の薄板状の端部７ａを上弦材５の取付片２１、下弦材６の取付片２１に固着具、例えばボルト・ナット２２でそれぞれ連結してある。
【００２６】
前記躯体取付柱８、第１柱１０、第２柱１１、連結柱１２は図８に示すように矩形中空形状で、同一大きさである。この各柱の１辺の寸法は前記上弦材５、下弦材６の幅方向よりも大きい。
各柱の一面に、コ字形状の上下一対の弦材ブラケット２３をボルト２４でそれぞれ取付ける。このボルト２４は柱の中空部に設けた弦材ブラケット用裏板２５に螺合する。
各弦材ブラケット２３が上弦材５、下弦材６の本体２０の中空部に嵌合し、ボルト２６で固着することで柱と上弦材５、下弦材６が連結される。
【００２７】
前記第１・第２・第３中間桁３−１，３−２，３−３は図９に示すように前記妻梁１、前桁２と同一形状である。
前記第１中間桁３−１と第３中間桁３−３は妻梁１と同様に第１柱１０、第２柱１１に連結される。
【００２８】
前記第２中間桁３−２は次のようにして第２妻梁１−２に連結される。
第２妻梁１−２の上弦材５、下弦材６の本体２０の内側面２０ｂにスペーサ２７を介して前記弦材ブラケット２３をボルト２４で取付ける。このボルト２４は前述と同様に本体２０内に設けた弦材ブラケット用裏板２５に螺合する。
弦材ブラケット２３を上弦材５、下弦材６の本体２０の中空部に嵌合し、ボルト２６で固着することで第２中間桁３−２が第２妻梁１−２に連結される。
【００２９】
前述のようにスペーサ２７を設けたことにより、第２中間桁３−２を第１・第３中間桁３−１，３−３と同一長さとすることができる。
【００３０】
図１０、図１１、図１２に示すように、各妻梁の外側面に側面雨樋３０を取付け、前桁２の前面に前面雨樋３１をそれぞれ取付ける。
【００３１】
図１３、図１４、図１５に示すように、各妻梁と前桁２と中間桁３とデッキ材受け１３に亘ってデッキ材３２を取付ける。
各妻梁の外側面と前桁２の前面に手摺３３をそれぞれ取付け、この手摺３３の下部で各妻梁、前桁２を覆うことでバルコニーとする。
【００３２】
図１６はデッキ材を外した状態の左右一側部を具体的に示す平面図、図１７は図１６のＡ−Ａ拡大断面図、図１８は図１６のＢ−Ｂ拡大断面図、図１９は図１６のＣ−Ｃ拡大断面図である。図１７と図１８と図１９にはデッキ材３２が図示してある。
前記側面雨樋３０と前面雨樋３１は図１７、図１８と図１９に示すように、上向コ字形状で、その内側部に取付横片４０を備えた同一の断面形状である。
前記第２妻梁１−２の上弦材５、各柱の上端部に上ブラケット４１がそれぞれ取付けてある。なお、躯体取付柱８には取付けていない。
前記第２妻梁１−２の下弦材６、各柱の上部寄りに下ブラケット４２がそれぞれ取付けてある。
【００３３】
前記上ブラケット４１は一側縦片４１ａと横片４１ｂと他側縦片４１ｃでほぼクランク形状で、その一側縦片４１ａの上部に横向片４１ｄが設けてある。
この一側縦片４１ａを上弦材５、各柱にボルト４３で固着して取付ける。
上ブラケット４１の横向片４１ｄに各雨樋の取付横片４０をビス４４で固着して取付ける。
【００３４】
前記左右の側面雨樋３０と前面雨樋３１は図１６に示すようにコーナー雨樋４５にそれぞれ連結される。
コーナー雨樋４５に排水ホース４６が接続し、この排水ホース４６が図１４に示す排水管４７に接続している。
【００３５】
前記下ブラケット４２は一側縦片４２ａと横片４２ｂと他側縦片４２ｃで略クランク形状で、その一側縦片４２ａが下弦材６、各柱にボルト４８で取付けられる。
【００３６】
前記手摺３３は複数の支柱５０間に格子ユニット５１を取付け、その支柱５０の上部に亘って笠木５２を取付けてある。
前記支柱５０の下部寄り２ヶ所が、前記上ブラケット４１の他側縦片４１ｃ、下ブラケット４２の他側縦片４２ｃにボルト５３でそれぞれ固着される。
このように、手摺３３の支柱５０は上下に離隔した２ヶ所で連結されるので、手摺３３を強固に取付けできる。
【００３７】
前記デッキ材受け１３は図２０に示すように、デッキ材受け片６０と取付縦片６１と上向きコ字状片６２とデッキ材支持片６３で断面略コ字状で、上向きコ字状片６２に下部取付片６４が一体的に設けてあり、その上向きコ字状片６２部分が雨樋６５を形成している。
デッキ材受け１３の長手方向両端部は躯体取付柱８の切欠部８ａに嵌まり込んで図１６に示すように躯体取付柱８よりも外方に突出し、蓋６６がビス６７で取付ける。このビス６７はビスホール６８に螺合する。
前記デッキ材受１３は図２０に示すように、取付縦片６１と下部取付片６４がコーチネジなどの固着具６９で建物躯体９に取付けてある。
【００３８】
図２１に示すように、前記デッキ材受１３の上向コ字状片６２と蓋６６との間に間隙が生じるようにしてある。
前記デッキ材受１３の長手方向両端部は側面雨樋３０の切欠部３０ａから内部に入り込み、デッキ材支持片６３がビス１３ａで側面雨樋３０の取付横片４０に連結される。
このようであるから、雨樋部６５に流れ落ちた雨水は側面雨樋３０に流出する。
【００３９】
前記デッキ材３２は押出成形による合成木材を使用し、図１７に示すように長手方向に連続した複数の中空部７０を有するほぼ矩形断面長尺材である。
デッキ材３２の下面３２ａは凹凸の無い平坦面で、短手方向両端面３２ｂは長手方向に連続した凹部７１を有し、この凹部７１よりも上部に水切片７２が長手方向に連続して一体的に設けてある。
前記デッキ材３２は図１５に示すように建物躯体９に対して直交する方向に向けて図１７、図１８、図１９、図２０に示すように前桁２、中間桁３、妻梁１の上面（上弦材５の上面）と各柱の上端面とデッキ材受１３のデッキ材支持片６３（つまり、バルコニー骨組体４の上面）に跨って短手方向に小間隙を置いて載置される。
【００４０】
隣接した２つのデッキ材３２はデッキ材押え７３で前記各上面、各柱の上端面、デッキ材受１３のデッキ材支持片６３に押しつけ保持される。
前記デッキ材押え７３は図２２に示すように、上向コ字形状の本体７４と、一対の押え片７５を有する断面形状で、デッキ材３２と略同一長さである。
前記本体７４がビス７６で上弦材５の上面に固着され、一対の押え片７５が隣接した２つのデッキ材３２の凹部７１に接している。
前記押え片７５の端部は凹部７１に入り込み易くするために上向き斜めとしてある。
【００４１】
前述のようであるから、隣接した２つのデッキ材３２間の小間隙に流れ込んだ雨水はデッキ材押え７３に沿って流れる。これによって、デッキ材押え７３は雨樋の機能を有する。
【００４２】
図１７に示すように、バルコニー骨組体４の左右端部に取付けたデッキ材３２の短手方向端面３２ｂ（水切り片７２）は妻梁１よりも側方に突出し側面雨樋３０の上方に位置している。
これにより、デッキ材３２から雨水が側面雨樋３０に確実に流れ落ちる。
側面雨樋３０には水密材７７が装着してあり、この水密材７７にデッキ３２の下面３２ａが接して水密している。
これにより、デッキ材３２と側面雨樋３０との接触部から雨水が内側に回り込むことがない。
【００４３】
図１９に示すように、デッキ材３２の長手方向一端部は前桁２よりも前方に突出し前面雨樋３１の上方に位置している。
これにより、デッキ材３２から雨水が前面雨樋３１に確実に流れ落ちる。
前面雨樋３１には水密材７７が装着してあり、この水密材７７にデッキ３２の下面３２ａが接して水密している。
これにより、デッキ材３２と前面雨樋３０との接触部から雨水が内側に回り込むことがない。
デッキ材３２の長手方向一端部にはキャップ７８が取付けてあり、中空部７０が見えないようにしてある。
【００４４】
図２０に示すように、デッキ材３２の長手方向他端部はデッキ材受け１３の雨樋部６５まで突出している。
これにより、デッキ材３２から雨水が雨樋部６５に確実に流れ落ちる。
デッキ材受け１３には水密材７７が装着してあり、この水密材７７にデッキ３２の下面３２ａが接して水密している。
これにより、デッキ材３２とデッキ材受け１３との接触部から雨水が内側に回り込むことがない。
【００４５】
図２３に示すように、妻梁１の下弦材６下面に柱８０をボルト又はＬ字ブラケットとボルト等で連結しても良い。
図２４に示すように、柱８０の上部に切欠き８１を加工し、その切欠き８１に妻梁１の上弦材５、下弦材６を嵌め込んでボルト８２で連結しても良い。
また、柱を用いずに建物躯体に連結した状態としても良い。
【００４６】
図２５は建家の２階部分と３階部分にバルコニーを取付けた斜視図であり、柱９０を２階部分に取付けたバルコニー９１を通して３階部分のバルコニー９２まで連続してある。
２階部分のバルコニー９１の下部空間９３を車庫として利用可能としてある。
【００４７】
【発明の効果】
請求項１に係る発明によれば、妻梁と前桁が高強度であるから、長尺な妻梁と長尺な前桁を用いて奥行と間口が長い床面積の大きなバルコニーを組立ることが可能である。
また、小さな断面形状の上弦材、下弦材を用いて妻梁、前桁を高強度とすることができ、アルミ押出形材で上弦材、下弦材とすることが可能である。
したがって、アルミ押出形材を用いて庭園のように利用することが可能な大きな床面積のバルコニーを組立できる。
【００４８】
妻梁が高強度であるから、バルコニーの片持ち支持部（持ち出し部）を長くすることが可能で、妻梁を柱で支持するタイプのバルコニーの場合に柱を前桁よりも建物躯体寄りとすることができる。
したがって、バルコニーの下部空間に車を格納する時に柱が邪魔にならずに車の出し入れが容易である。
【００４９】
また、前桁、妻梁は柱に上弦材、下弦材の２点で支持されているので、風や地震などでバルコニーが左右方向に変形することが少なくなる。
したがって、柱を小断面とすることが可能であり、柱が目立たなくなり、家の外観をそこなわない。
【００５０】
また、高強度の中間桁によってバルコニー骨組体がより高強度となるので、より大きな床面積のバルコニーを組立できる。
また、デッキ材に負荷する荷重を中間桁で支持するから、デッキ材に重量物を置くことが可能で、大きな植木鉢などを置くことができる。
【００５１】
また、連結する妻梁の種類と数、柱の数等を任意に選択することで奥行の異なるバルコニーを組立できる。
【００５２】
また、左右の柱の間隔及び左右の中間の妻梁の間隔が中間桁で規制されるので、バルコニーの組立作業が容易である。
【図面の簡単な説明】
【図１】バルコニー骨組体の側面図である。
【図２】バルコニー骨組体の正面図である。
【図３】バルコニー骨組体の平面図である。
【図４】奥行の異なるバルコニー骨組体の側面図である。
【図５】奥行の異なるバルコニー骨組体の側面図である。
【図６】奥行の異なるバルコニー骨組体の側面図である。
【図７】奥行の異なるバルコニー骨組体の側面図である。
【図８】柱と上弦材、下弦材の連結部の分解斜視図である。
【図９】妻梁と中間桁の連結部の斜視図である。
【図１０】雨樋を備えたバルコニー骨組体の側面図である。
【図１１】雨樋を備えたバルコニー骨組体の正面図である。
【図１２】雨樋を備えたバルコニー骨組体の平面図である。
【図１３】バルコニーの側面図である。
【図１４】バルコニーの正面図である。
【図１５】バルコニーの平面図である。
【図１６】デッキ材を外した状態の横断面図である。
【図１７】図１６のＡ−Ａ拡大断面図である。
【図１８】図１６のＢ−Ｂ拡大断面図である。
【図１９】図１６のＣ−Ｃ拡大断面図である。
【図２０】妻梁の躯体取付部の拡大側面図である。
【図２１】側面雨樋とデッキ材受けの斜視図である。
【図２２】デッキ材取付部の拡大側面図である。
【図２３】柱連結部の第２の実施の形態を示す斜視図である。
【図２４】柱連結部の第３の実施の形態を示す斜視図である。
【図２５】二階部分と三階部分にバルコニーを取付けた建家の斜視図である。
【符号の説明】
１…妻梁
１−１…第１妻梁（躯体側の妻梁）
１−２…第２妻梁（中間の妻梁）
１−３…第３妻梁（前桁側の妻梁）
２…前桁
３…中間桁
３−１…第１中間桁
３−２…第２中間桁
３−３…第３中間桁
４…バルコニー骨組体
５…上弦材
６…下弦材
７…ラチス材
８…躯体取付柱
１０…第１柱
１１…第２柱
１２…連結柱
１３…デッキ材受け
２３…弦材ブラケット
２７…スペーサ
３０…側面雨樋
３１…前面雨樋
３２…デッキ材
３３…手摺
８０…柱
８１…切欠き部
９０…柱
９１…二階部分のバルコニー
９２…三階部分のバルコニー
【図１】
0003772296.tif 000002
【図２】
0003772296.tif 000003
【図３】
0003772296.tif 000004
【図４】
0003772296.tif 000005
【図５】
0003772296.tif 000006
【図６】
0003772296.tif 000007
【図７】
0003772296.tif 000008
【図８】
0003772296.tif 000009
【図９】
0003772296.tif 000010
【図１０】
0003772296.tif 000011
【図１１】
0003772296.tif 000012
【図１２】
0003772296.tif 000013
【図１３】
0003772296.tif 000014
【図１４】
0003772296.tif 000015
【図１５】
0003772296.tif 000016
【図１６】
0003772296.tif 000017
【図１７】
0003772296.tif 000018
【図１８】
0003772296.tif 000019
【図１９】
0003772296.tif 000020
【図２０】
0003772296.tif 000021
【図２１】
0003772296.tif 000022
【図２２】
0003772296.tif 000023
【図２３】
0003772296.tif 000024
【図２４】
0003772296.tif 000025
【図２５】
0003772296.tif 000026